(57)【要約】      （修正有）【課題】球送手段に特徴を持った遊技台を提供する。【解決手段】遊技台は、球送部４８８と、通路と、壁４９２を設けた球送手段を備える。また、球送部４８８が第一の状態から第二の状態へ変化することで、通路の遊技球を移動させるように構成され、第一の状態において、球送部４８８の一部と壁４９２の一部によって、球送部４８８における保持領域にある遊技球を保持可能である。【選択図】図１９
2015163209.tif 000002
【特許請求の範囲】
【請求項１】
球送手段を備えた遊技台であって、
前記球送手段は、球送部が設けられた手段であり、
前記球送手段は、通路が設けられた手段であり、
前記球送手段は、壁が設けられた手段であり、
前記球送部が第一の状態から第二の状態へ変化することで、前記通路の遊技球を移動させ、
前記第一の状態において、前記球送部の一部（以下、「第一の保持手段」という。）と前記壁の一部（以下、「第二の保持手段」という。）によって、該球送部における保持領域にある遊技球を保持可能である、
ことを特徴とする遊技台。
【請求項２】
請求項１に記載の遊技台であって、
前記保持領域は、前記第一の保持手段と、前記球送部の別の一部（以下、「第三の保持手段」という。）と、の間にある領域であり、
前記第一の保持手段は、前記第三の保持手段よりも下流にある手段であり、
前記第二の状態において、前記第三の保持手段と前記第二の保持手段によって、前記通路の遊技球を保持可能である、
ことを特徴とする遊技台。
【請求項３】
請求項１または請求項２に記載の遊技台であって、
前記第二の保持手段は、前記通路へ突出する凸部によって構成された手段である。
ことを特徴とする遊技台。
【請求項４】
請求項１乃至請求項３のいずれか一項に記載の遊技台であって、
発射手段を備え、
前記発射手段は、発射位置にある遊技球を遊技領域に向けて発射可能な手段であり、
前記球送部が前記第一の状態から前記第二の状態へ変化することで、前記保持領域にある遊技球が前記発射位置へ移動可能である、
ことを特徴とする遊技台。
【請求項５】
請求項４に記載の遊技台であって、
本体と、
扉と、
を備え、
前記球送手段は、前記扉に設けられた手段であり、
前記発射手段は、前記本体に設けられた手段である、
ことを特徴とする遊技台。
【請求項６】
請求項４に記載の遊技台であって、
本体と、
扉と、
を備え、
前記球送手段は、前記本体に設けられた手段であり、
前記発射手段は、前記本体に設けられた手段であり、
前記発射手段と前記球送手段は、同一のユニットで構成されている、
ことを特徴とする遊技台。
【請求項７】
請求項１乃至請求項６のいずれか一項に記載の遊技台であって、
操作手段と、
上皿と、
を備え、
前記操作手段は、前記上皿の遊技球を排出口に向けて排出可能な手段であり、
前記球送手段は、前記操作手段が操作された場合であっても、遊技球を保持可能である、
ことを特徴とする遊技台。
【請求項８】
請求項１乃至請求項７のいずれか一項に記載の遊技台であって、
前記壁は、前記第二の保持手段とは別の保持手段（以下、「第四の保持手段」という。）を備え、
前記第四の保持手段は、前記第二の保持手段の上流にある手段である、
ことを特徴とする遊技台。
【請求項９】
請求項２乃至請求項８のいずれか一項に記載の遊技台であって、
前記第三の保持手段から前記第一の保持手段に亘って形成された凹部の曲率半径は、遊技球の曲率半径よりも小さい、
ことを特徴とする遊技台。
【発明の詳細な説明】
【技術分野】
【０００１】
本発明は、回胴遊技機（スロットマシン）や弾球遊技球（パチンコ機）などに代表される遊技台に関する。
【背景技術】
【０００２】
従来、発射装置へ遊技球を供給する球送装置が搭載された遊技台が提案されている（例えば、特許文献１参照）。
【先行技術文献】
【特許文献】
【０００３】
【特許文献１】特開２００９−６１０４８号公報
【発明の概要】
【発明が解決しようとする課題】
【０００４】
しかしながら、従来の遊技台は、球送手段に改良の余地がある。
【０００５】
本発明の目的は、球送手段に特徴を持った遊技台を提供することにある。
【課題を解決するための手段】
【０００６】
本発明は、球送手段を備えた遊技台であって、前記球送手段は、球送部が設けられた手段であり、前記球送手段は、通路が設けられた手段であり、前記球送手段は、壁が設けられた手段であり、前記球送部が第一の状態から第二の状態へ変化することで、前記通路の遊技球を移動させ、前記第一の状態において、前記球送部の一部（以下、「第一の保持手段」という。）と前記壁の一部（以下、「第二の保持手段」という。）によって、該球送部における保持領域にある遊技球を保持可能である、ことを特徴とする遊技台である。
【発明の効果】
【０００７】
本発明によれば、球送手段に特徴を持った遊技台を提供できる。
【図面の簡単な説明】
【０００８】
【図１】パチンコ機を正面側（遊技者側）から見た外観斜視図である。
【図２】パチンコ機を背面側から見た外観図である。
【図３】遊技盤を正面から見た略示正面図である。
【図４】パチンコ機１００の前面枠扉１０６を開放してパチンコ機１００の内部構造を示した外観斜視図である。
【図５】図４において符号Ａで示した、扉側球通路ユニット３５０近傍の部分拡大図である。
【図６】前面枠扉１０６の一部を透過させて上皿１２６、扉側球通路ユニット３５０などの部材を示すとともに、本体１０４から発射装置４５０のみを抜き出して示した斜視図である。
【図７】（ａ）扉側球通路ユニット３５０のストッパ３５４を正面側から見た外観斜視図である。（ｂ）扉側球通路ユニット３５０のストッパ３５４を背面側から見た外観斜視図である。
【図８】（ａ）前面枠扉１０６が本体１０４に対して第一の量だけ開放されているときの扉側球通路ユニット３５０と発射装置４５０の位置関係を示した図である。（ｂ）前面枠扉１０６が本体１０４に対して（ａ）に示す第一の量よりも小さい第二の量だけ開放されているときの扉側球通路ユニット３５０と発射装置４５０の位置関係を示した図である。（ｃ）前面枠扉１０６が本体１０４に対して閉鎖されているときの扉側球通路ユニット３５０と発射装置４５０の位置関係を示した図である。
【図９】図８（ａ）〜（ｃ）に示す各々の状態を上方から見た図である。
【図１０】パチンコ機１００から上皿１２６近傍の部材のみを抜き出した側面図である。
【図１１】図１０においてＡ−Ａ線で示す側断面図である。
【図１２】（ａ）実施形態２に係る扉側球通路ユニット３７０においてシャッタ３７０ｂを閉じた状態を示した外観斜視図である。（ｂ）同扉側球通路ユニット３７０においてシャッタ３７０ｂを開いた状態を示した外観斜視図である。
【図１３】（ａ）実施形態３に係る扉側球通路ユニット３８０においてシャッタ３８０ｂを閉じた状態を示した外観斜視図である。（ｂ）同扉側球通路ユニット３８０においてシャッタ３８０ｂを開いた状態を示した外観斜視図である。
【図１４】図１３（ａ）、（ｂ）の各々を背面から見た外観斜視図である。
【図１５】図１３（ａ）、（ｂ）の各々の主要部のみを上方から見た部分拡大図である。
【図１６】発射装置４５０の外観斜視図である。
【図１７】発射装置４５０の一部を透過して示す外観斜視図である。
【図１８】発射装置４５０の分解斜視図である。
【図１９】（ａ）カバー部４７４を取り除いた状態の発射装置４５０において、発射槌４８４が初期位置にあるときの平面図である。（ｂ）カバー部４７４を取り除いた状態の発射装置４５０において、発射槌４８４が作動位置にあるときの平面図である。
【図２０】（ａ）図１９（ａ）から球送りレバー４８８や球送り部ベース４９２などの部材を取り除いた平面図である。（ｂ）図１９（ｂ）から球送りレバー４８８や球送り部ベース４９２などの部材を取り除いた平面図である。
【図２１】パチンコ機１１００の前面枠扉１１０６を開放してパチンコ機１１００の内部構造を示した外観斜視図である。
【図２２】（ａ）図２１において符号Ｂで示した球送り装置１５００近傍の部分拡大図である。（ｂ）図２１において符号Ｃで示した発射装置１４５０近傍の部分拡大図である。
【図２３】扉側球通路ユニット３５０と球送り装置１５００の側断面図である。
【図２４】本発明に係る球送装置の側断面の一例を示した図である。
【図２５】他の例に係る球送装置Ｔ２の一部を透過して示す外観斜視図である。
【図２６】図２５におけるＡ−Ａ線に沿った側断面の一部を示す側断面図である。
【図２７】阻止部材Ｓ３を球送装置Ｔ２の壁部Ｔ２ａに設けた例を示した側断面図である。
【図２８】阻止部材Ｓ５、Ｓ６の上部に傾斜面を形成した例を示した側面図である。
【発明を実施するための形態】
【０００９】
以下、図面を用いて、本発明の実施形態１に係る遊技台（例えば、パチンコ機１００等の弾球遊技機やスロット機等の回胴遊技機）について詳細に説明する。
【００１０】
＜全体構成＞
まず、図１を用いて、本発明の実施形態１に係るパチンコ機１００の全体構成について説明する。なお、同図はパチンコ機１００を正面側（遊技者側）から見た外観斜視図である。
【００１１】
パチンコ機１００は、外部的構造として、外枠１０２と、本体１０４と、前面枠扉１０６と、球貯留皿付扉１０８と、発射装置１１０と、遊技盤２００と、をその前面に備える。外枠１０２は、遊技機設置営業店に設けられた設置場所（島設備等）へと固定させるための縦長方形状から成る木製の枠部材である。本体１０４は、内枠と呼ばれ、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。また、本体１０４が開放された場合、本体１０４の開放を検出する不図示の内枠開放センサを備える。
【００１２】
前面枠扉１０６は、ロック機能付きで且つ開閉自在となるようにパチンコ機１００の前面側となる本体１０４の前面に対しヒンジ部１１２を介して装着され、枠状に構成されることでその内側を開口部とした扉部材である。なお、この前面枠扉１０６には、開口部にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。また、前面枠扉１０６が開放された場合、前面枠扉１０６の開放を検出する不図示の前面枠扉開放センサを備える。
【００１３】
球貯留皿付扉１０８は、パチンコ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で、且つ発射装置４５０（詳細は後述。例えば、図６参照）へと遊技球を案内する扉側球通路ユニット３５０（詳細は後述。例えば、図６参照）が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６の演出態様に変化を与えるチャンスボタン１３６と、チャンスボタン１３６を発光させるチャンスボタンランプ１３８と、を備える。また、下皿１２８が満タンであることを検出する不図示の下皿満タンセンサを備える。なお、扉側球通路ユニット３５０と発射装置４５０の詳細な構造については、後述の＜扉側球通路ユニットと発射装置の構造＞において説明する。
【００１４】
遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部から観察することができる。
【００１５】
図２は、図１のパチンコ機１００を背面側から見た外観図である。パチンコ機１００の背面上部には、上方に開口した開口部を有し、遊技球を一時的に貯留するための球タンク１５０と、この球タンク１５０の下方に位置し、球タンク１５０の底部に形成した連通孔を通過して落下する球を背面右側に位置する払出装置１５２に導くためのタンクレール１５４とを配設している。
【００１６】
払出装置１５２は、筒状の部材からなり、その内部には、不図示の払出モータとスプロケットと払出センサとを備えている。スプロケットは、払出モータによって回転可能に構成されており、タンクレール１５４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００１７】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を払出制御部６００へ出力する。なお、この払出センサを通過した遊技球は、排出口１５２ａを通過してパチンコ機１００の表側に配設した上皿１２６に到達するように構成しており、パチンコ機１００は、この構成により遊技者に対して球の払い出しを行う。
【００１８】
払出装置１５２の図中左側には、遊技全般の制御処理を行う主制御部３００を構成する主基板１５６を収納する主基板ケース１５８、主制御部３００が生成した処理情報に基づいて演出に関する制御処理を行う第１副制御部４００を構成する第１副基板１６０を収納する第１副基板ケース１６２、第１副制御部４００が生成した処理情報に基づいて演出に関する制御処理を行う第２副制御部５００を構成する第２副基板１６４を収納する第２副基板ケース１６６、遊技球の払出に関する制御処理を行う払出制御部６００を構成するとともに遊技店員の操作によってエラーを解除するエラー解除スイッチ１６８を備える払出基板１７０を収納する払出基板ケース１７２、遊技球の発射に関する制御処理を行う発射制御部６３０を構成する発射基板１７４を収納する発射基板ケース１７６、各種電気的遊技機器に電源を供給する電源制御部６６０を構成するとともに遊技店員の操作によって電源をオンオフする電源スイッチ１７８と電源投入時に操作されることによってＲＷＭクリア信号を主制御部３００に出力するＲＷＭクリアスイッチ１８０とを備える電源基板１８２を収納する電源基板ケース１８４、および払出制御部６００とカードユニットとの信号の送受信を行うＣＲインターフェース部１８６を配設している。
【００１９】
図３は、遊技盤２００を正面から見た略示正面図である。遊技盤２００には、外レール２０２と内レール２０４とを配設し、遊技球が転動可能な遊技領域１２４を区画形成している。
【００２０】
遊技領域１２４の略中央には、演出装置２０６を配設している。この演出装置２０６には、略中央に装飾図柄表示装置２０８を配設し、その周囲に、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２を配設している。なお、以下、普通図柄を「普図」、特別図柄を「特図」と称する場合がある。演出装置２０６は、演出可動体２２４を動作して演出を行うものであり、詳細については後述する。
【００２１】
装飾図柄表示装置２０８は、装飾図柄ならびに演出に用いる様々な表示を行うための表示装置であり、本実施例では液晶表示装置（Ｌｉｑｕｉｄ  Ｃｒｙｓｔａｌ  Ｄｉｓｐｌａｙ）によって構成する。この装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００２２】
普図表示装置２１０は、普図の表示を行うための表示装置であり、本実施例では７セグメントＬＥＤによって構成する。第１特図表示装置２１２および第２特図表示装置２１４は、特図の表示を行うための表示装置であり、本実施例では７セグメントＬＥＤによって構成する。
【００２３】
普図保留ランプ２１６は、保留している普図変動遊技（詳細は後述）の数を示すためのランプであり、本実施例では、普図変動遊技を所定数（例えば、２つ）まで保留することを可能としている。第１特図保留ランプ２１８および第２特図保留ランプ２２０は、保留している特図変動遊技（詳細は後述）の数を示すためのランプであり、本実施例では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００２４】
また、この演出装置２０６の周囲には、所定の球進入口、例えば、一般入賞口２２６と、普図始動口２２８と、第１特図始動口２３０と、第２特図始動口２３２と、可変入賞口２３４を配設している。
【００２５】
一般入賞口２２６は、本実施例では遊技盤２００に複数配設しており、この一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。なお、一般入賞口２２６に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００２６】
普図始動口２２８は、ゲートやスルーチャッカーと呼ばれる、遊技領域１２４の所定の領域を球が通過したか否かを判定するための装置で構成しており、本実施例では遊技盤２００の左側に１つ配設している。普図始動口２２８を通過した球は一般入賞口２２６に入球した球と違って、遊技島側に排出することはない。球が普図始動口２２８を通過したことを所定の球検出センサが検出した場合、パチンコ機１００は、普図表示装置２１０による普図変動遊技を開始する。
【００２７】
第１特図始動口２３０は、本実施例では遊技盤２００の中央に１つだけ配設している。この第１特図始動口２３０への入球を所定の球検出センサが検出した場合、後述する払出装置１５２を駆動し、所定の個数（例えば、３個）の球を賞球として上皿１２６に排出するとともに、第１特図表示装置２１２による特図変動遊技を開始する。なお、第１特図始動口２３０に入球した球は、パチンコ機１００の裏側に誘導した後、遊技島側に排出する。
【００２８】
第２特図始動口２３２は、電動チューリップ（電チュー）と呼ばれ、本実施例では第１特図始動口２３０の真下に１つだけ配設している。この第２特図始動口２３２は、左右に開閉自在な羽根部材２３２ａを備え、羽根部材２３２ａの閉鎖中は球の入球が不可能であり、普図変動遊技に当選し、普図表示装置２１０が当たり図柄を停止表示した場合に羽根部材２３２ａが所定の時間間隔、所定の回数で開閉する。第２特図始動口２３２への入球を所定の球検出センサが検出した場合、払出装置１５２を駆動し、所定の個数（例えば、４個）の球を賞球として上皿１２６に排出するとともに、第２特図表示装置２１４による特図変動遊技を開始する。なお、第２特図始動口２３２に入球した球は、パチンコ機１００の裏側に誘導した後、遊技島側に排出する。
【００２９】
可変入賞口２３４は、大入賞口またはアタッカーと呼ばれ、本実施例では遊技盤２００の中央部下方に１つだけ配設している。この可変入賞口２３４は、開閉自在な扉部材２３４ａを備え、扉部材２３４ａの閉鎖中は球の入球が不可能であり、特図変動遊技に当選して特図表示装置が大当たり図柄を停止表示した場合に扉部材２３４ａが所定の時間間隔（例えば、開放時間２９秒、閉鎖時間１．５秒）、所定の回数（例えば１５回）で開閉する。可変入賞口２３４への入球を所定の球検出センサが検出した場合、払出装置１５２を駆動し、所定の個数（例えば、１５個）の球を賞球として上皿１２６に排出する。なお、可変入賞口２３４に入球した球は、パチンコ機１００の裏側に誘導した後、遊技島側に排出する。
【００３０】
さらに、これらの入賞口や始動口の近傍には、風車と呼ばれる円盤状の打球方向変換部材２３６や、遊技釘２３８を複数個、配設していると共に、内レール２０４の最下部には、いずれの入賞口や始動口にも入賞しなかった球をパチンコ機１００の裏側に誘導した後、遊技島側に排出するためのアウト口を設けている。
【００３１】
このパチンコ機１００は、遊技者が上皿１２６に貯留している球を発射レールの発射位置に供給し、遊技者の操作ハンドルの操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（第１特図始動口２３０、第２特図始動口２３２）に入賞するか、いずれの入賞口や始動口にも入賞することなく、または普図始動口２２８を通過するのみでアウト口２４０に到達する。
【００３２】
＜演出装置２０６＞
次に、パチンコ機１００の演出装置２０６について説明する。この演出装置２０６の前面側には、遊技球の転動可能な領域にワープ装置２４２およびステージ２４４を配設し、遊技球の転動不可能な領域に演出可動体２２４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽手段は、ワープ装置２４２、ステージ２４４、および演出可動体２２４の後方に位置することとなる。
【００３３】
ワープ装置２４２は、演出装置２０６の左上方に設けたワープ入口２４２ａに入った遊技球を演出装置２０６の前面下方のステージ２４４にワープ出口２４２ｂから排出する。
【００３４】
ステージ２４４は、ワープ出口２４２ｂから排出された球や遊技盤２００の釘などによって乗り上げた球などが転動可能であり、ステージ２４４の中央部には、通過した球が第１特図始動口２３０へ入球し易くなるスペシャルルート２４４ａを設けている。
【００３５】
演出可動体２２４は、本実施形態では人間の右腕の上腕と前腕を模した上腕部２２４ａと前腕部２２４ｂとからなり、肩の位置に上腕部２２４ａを回動させる不図示の上腕モータと肘の位置に前腕部２２４ｂを回動させる不図示の前腕モータを備える。演出可動体２２４は、上腕モータと前腕モータによって装飾図柄表示装置２０８の前方を移動する。
【００３６】
遮蔽装置２４６は、格子状の左扉２４６ａおよび右扉２４６ｂからなり、装飾図柄表示装置２０８および前面ステージ２４４の間に配設する。左扉２４６ａおよび右扉２４６ｂの上部には、不図示の２つのプーリに巻き回したベルトをそれぞれ固定している。すなわち、左扉２４６ａおよび右扉２４６ｂは、モータによりプーリを介して駆動するベルトの動作に伴って左右にそれぞれ移動する。遮蔽手段は、左扉２４６ａおよび右扉２４６ｂを閉じた状態ではそれぞれの内側端部が重なり、遊技者が装飾図柄表示装置２０８を視認し難いように遮蔽する。左扉２４６ａおよび右扉２４６ｂを開いた状態ではそれぞれの内側端部が装飾図柄表示装置２０８の表示画面の外側端部と若干重なるが、遊技者は装飾図柄表示装置２０８の表示の全てを視認可能である。また、左扉２４６ａおよび右扉２４６ｂは、それぞれ任意の位置で停止可能であり、例えば、表示した装飾図柄がどの装飾図柄であるかを遊技者が識別可能な程度に、装飾図柄の一部だけを遮蔽するようなことができる。なお、左扉２４６ａおよび右扉２４６ｂは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００３７】
＜扉側球通路ユニットと発射装置の構造＞
次に、扉側球通路ユニット３５０と発射装置４５０の構造について詳細に説明する。図４は、パチンコ機１００の前面枠扉１０６を開放してパチンコ機１００の内部構造を示した外観斜視図であり、図５は、図４において符号Ａで示した、扉側球通路ユニット３５０近傍の部分拡大図である。
【００３８】
上述のとおり、パチンコ機１００の前面扉１０６の下方には、上皿１２６が備える扉側球通路ユニット３５０が配置され、本体１０４には、扉側球通路ユニット３５０に対向する位置に、発射装置４５０が配置されている。パチンコ機１００では、前面扉１０６が閉鎖されている場合に、該前面扉１０６に設けられた扉側球通路ユニット３５０の遊技球が発射装置４５０に供給されるように構成されている。
【００３９】
＜扉側球通路ユニットの構造＞
図６は、前面枠扉１０６の一部を透過させて上皿１２６、扉側球通路ユニット３５０などの部材を示すとともに、本体１０４から発射装置４５０のみを抜き出して示した斜視図である。また、図７（ａ）は、扉側球通路ユニット３５０のストッパ３５４を正面側から見た外観斜視図であり、同図（ｂ）は、扉側球通路ユニット３５０のストッパ３５４を背面側から見た外観斜視図である。
【００４０】
扉側球通路ユニット３５０は、上皿１２６に貯留された遊技球を発射装置４５０に案内するための筒状の球通路３５２と、この球通路３５２の排出口近傍に配置されて当該排出口から遊技球が排出されるのを許可または禁止することが可能なストッパ３５４と、を有して構成されている。ストッパ３５４は、図７に拡大して示すように、中央に矩形状の開口部を有するベース３５４ａと、このベース３５４ａの長手方向にスライド可能な板状のシャッタ３５４ｂと、ベース３５４ａとシャッタ３５４ｂとの間に縮設されたバネ３５４ｃと、シャッタ３５４ｂの一端側に固定されるとともにベース３５４ａの開口部から突出された平面視が直角三角形形状の操作部３５４ｄと、を有して構成されている。
【００４１】
シャッタ３５４ｂは、操作部３５４ｄをベース３５４ａの開口部に沿ってスライドさせることによって、球通路３５２の排出口から遊技球が排出されるのを許可する球通過許可位置（例えば、図９（ｃ）に示す位置）と、球通路３５２の排出口から遊技球が排出されるのを禁止する球通過禁止位置（例えば、図９（ａ）に示す位置）との間をスライド可能に構成されている。なお、球通過許可位置は、少なくとも１個の遊技球を球通路３５２の排出口から排出することができる位置であればよく、シャッタ３５４ｂが完全に開いた状態でなくてもよい。また、球通過禁止位置は、遊技球を球通路３５２の排出口から排出することができない位置であればよく、シャッタ３５４ｂが完全に閉まった状態でなくてもよい。
【００４２】
＜扉側球通路ユニットの動作＞
図８（ａ）は、前面枠扉１０６が本体１０４に対して第一の量だけ開放されているときの扉側球通路ユニット３５０と発射装置４５０の位置関係を示した図であり、同図（ｂ）は、前面枠扉１０６が本体１０４に対して同図（ａ）に示す第一の量よりも小さい第二の量だけ開放されているときの扉側球通路ユニット３５０と発射装置４５０の位置関係を示した図であり、同図（ｃ）は、前面枠扉１０６が本体１０４に対して閉鎖されているときの扉側球通路ユニット３５０と発射装置４５０の位置関係を示した図である。また、図９（ａ）〜（ｃ）は、図８（ａ）〜（ｃ）に示す各々の状態を上方から見た図である。
【００４３】
本体１０４に対して開放されている前面枠扉１０６が閉鎖方向に移動されると、前面枠扉１０６側の扉側球通路ユニット３５０が、本体１０４側の発射装置４５０に徐々に近づき、図８（ａ）、図９（ａ）に示すように、前面枠扉１０６が本体１０４に対して第一の量だけ開放された状態となる。このとき、扉側球通路ユニット３５０のストッパ３５４の操作部３５４ｄは、発射装置４５０から扉側球通路ユニット３５０側に突出形成された突出部４５０ａに接触するが、シャッタ３５４ｄを球通過禁止位置から球通過許可位置までスライドさせることはない。このため、この状態では、扉側球通路ユニット３５０の球通路３５２に残存している遊技球は、球通過禁止位置にあるシャッタ３５４ｄによって移動が規制され、球通路３５２の排出口から排出されることはない。
【００４４】
続いて、前面枠扉１０６がさらに閉鎖方向に移動されると、扉側球通路ユニット３５０が発射装置４５０にさらに近づき、図８（ｂ）、図９（ｂ）に示すように、前面枠扉１０６が、本体１０４に対して図８（ａ）、図９（ａ）に示す第一の量よりも小さい第二の量だけ開放された状態となる。このとき、ストッパ３５４の操作部３５４ｄは、突出部４５０ａからの反力を受けて突出部４５０ａの傾斜面に沿って移動する。このため、シャッタ３５４ｂがバネ３５４ｃの付勢力に逆らって、球通過禁止位置から球通過許可位置に向かってスライドされるとともに、扉側球通路ユニット３５０の球通路３５２と、発射装置４５０の球通路４５０ｂが連通状態（扉側球通路ユニット３５０の球通路３５２から発射装置４５０の球通路４５０ｂに遊技球が移動可能な状態）となる。これにより、扉側球通路ユニット３５０の球通路３５２に残存している遊技球は、前面枠扉１０６が開放状態から閉鎖状態に移動する際に、球通路３５２の排出口から排出不可能な状態から、球通路３５２の排出口から排出されて発射装置４５０の球通路４５０ｂに移動可能な状態に移行する。
【００４５】
続いて、前面枠扉１０６がさらに閉められると、扉側球通路ユニット３５０が発射装置４５０にさらに近づき、図８（ｃ）、図９（ｃ）に示すように、前面枠扉１０６が本体１０４に対して閉鎖された状態となる。このとき、シャッタ３５４ｂは球通路許可位置に移動するため、球通路３５２の排出口から排出された遊技球は、発射装置４５０の球通路４５０ｂに移動可能な状態となる。
【００４６】
＜球排出装置＞
次に、上皿１２６に貯留された球を排出するための球排出装置５００について説明する。図１０は、パチンコ機１００から上皿１２６近傍の部材のみを抜き出した側面図であり、図１１（ａ）、（ｂ）は、図１０においてＡ−Ａ線で示す側断面図である。
【００４７】
球排出装置５００は、上皿１２６に貯留された球技球を、扉側球通路ユニット３５０に排出させるための装置であり、上述の球排出レバー１３２と、この球排出レバー１３２に駆動されて回動可能な棒状の第１レバー５０２と、この第１レバー５０２と扉側球通路ユニット３５０との間に縮設されたバネ５０４と、第１レバー５０２の回動に伴って揺動可能な棒状の第２レバー５０６と、この第２レバー５０６の揺動に伴ってスライド可能な板状のシャッタ５０８と、を有して構成されている。
【００４８】
第１レバー５０２は、支点５０２ａを回動中心として回動可能に構成されるとともに、下端部にギア５０２ｂが形成されている。また、一端が扉側球通路ユニット３５０に固定されたバネ５０４の他端が固定されており、バネ５０４の付勢力によって上方に付勢されて球排出レバー１３２を上方に押し上げるように構成されている。また、第２レバー５０６は、支点５０６ａを回動中心として揺動可能に構成されるとともに、上端部に、第１レバー５０２の第１ギア５０２ｂと噛合可能な第２ギア５０６ｂが形成されている。
【００４９】
シャッタ５０８は、第２レバー５０６の下端部に配設され、球通路３５２内から退出することによって遊技球が球通路３５２を通過することを許可する球通過許可位置（図１１（ａ）に示す位置）と、球通路３５２に形成された開口部３５２ａから球通路３５２内に突出することによって遊技球が球通路３５２を通過することを禁止する球通過禁止位置（図１１（ｂ）に示す位置）との間をスライド可能に構成されている。
【００５０】
図１１（ａ）に示すように、球排出レバー１３２が押下操作により下方に押し下げられると、球排出レバー１３２に当接する第１レバー５０２がバネ５０４の付勢力に逆らって下方に回動され、この第１レバー５０２の駆動力が第１ギア５０２ｂ、第２ギア５０６ｂを介して第２レバー５０６に伝達され、第２レバー５０６が、シャッタ５０８を球通路３５２から退出させる方向に回動され、球通過許可位置に移動する。これにより、上皿１２６から球通路３５２に流入した遊技球は、球通路３５２を真っ直ぐ通過して下皿１２８（図１参照）に排出される。
【００５１】
一方、図１１（ｂ）に示すように、球排出レバー１３２の押下操作が解除されると、第１レバー５０２がバネ５０４の付勢力によって上方に回動され、この第１レバー５０２の駆動力が第１ギア５０２ｂ、第２ギア５０６ｂを介して第２レバー５０６に伝達され、第２レバー５０６が、シャッタ５０８を球通路３５２に突出させる方向に回動され、球通過禁止位置に移動する。これにより、上皿１２６から球通路３５２に流入した遊技球は、シャッタ５０８によって方向が変えられ、球通路３５２の排出口から、発射装置４５０に向けて排出される。
【００５２】
＜扉側球通路ユニットの他の実施形態＞
次に、上述の扉側球通路ユニット３５０の他の実施形態について説明する。図１２（ａ）は、実施形態２に係る扉側球通路ユニット３７０においてシャッタ３７０ｂを閉じた状態を示した外観斜視図であり、同図（ｂ）は同扉側球通路ユニット３７０においてシャッタ３７０ｂを開いた状態を示した外観斜視図である。
【００５３】
本実施形態２に係る扉側球通路ユニット３７０は、ベース部３７０ａに対して垂直方向に回動可能に支持された板状のシャッタ３７０ｂと、ベース部３７０ａとシャッタ３７０ｂとの間に配置されてシャッタ３７０ｂを所定の方向（この例では、反時計回り）に付勢する、ねじりバネ３７０ｃと、第一の部材（例えば、上皿１２６）から第二の部材（例えば、発射装置４５０）に遊技球を案内するための球通路３７０ｄと、を有して構成されている。また、シャッタ３７０ｂの一端部には、短手方向一方に突出された板状の操作部３７０ｅが一体成形されている。
【００５４】
この扉側球通路ユニット３７０は、操作部３７０ｅが操作されていない状態（本体１０４側に配設された本体側部材３７０ｆによって押圧されていない状態）では、ねじりバネ３５２ｃの付勢力によってシャッタ３７０ｂが球通路３７０ｄの排出口の少なくとも一部を塞ぐことによって、球通路３７０ｄから球技球が外部に流出しないように構成されている。一方、操作部３７０ｅが操作されている状態（本体側部材３７０ｆによって押圧されている状態）では、ねじりバネ３７０ｃの付勢力に逆らってシャッタ３７０ｂが反時計回りに回動され、シャッタ３７０ｂが球通路３７０ｄの排出口の前面から退出することによって、遊技球を球通路３７０ｄを通じて第一の部材から第二の部材に案内可能に構成されている。
【００５５】
また、図１３（ａ）は、実施形態３に係る扉側球通路ユニット３８０においてシャッタ３８０ｂを閉じた状態を示した外観斜視図であり、同図（ｂ）は同扉側球通路ユニット３８０においてシャッタ３８０ｂを開いた状態を示した外観斜視図である。また、図１４（ａ）、（ｂ）は、図１３（ａ）、（ｂ）の各々を背面から見た外観斜視図であり、図１５（ａ）、（ｂ）は、図１３（ａ）、（ｂ）の各々の主要部のみを上方から見た部分拡大図である。
【００５６】
本実施形態３に係る扉側球通路ユニット３８０は、ベース部３８０ａに対して水平方向に回動可能に支持された平面視が（平仮名の）くの字形状のレバー３８０ｂと、このレバー３８０ｂに駆動されて水平方向にスライド可能なシャッタ３８０ｃと、第一の部材（例えば、上皿１２６）から第二の部材（例えば、発射装置４５０）に遊技球を案内するための球通路３８０ｄ（図１５参照）と、を有して構成されている。また、シャッタ３８０ｂの一端部には、長手方向一方に突出された板状の操作部３８０ｅが一体成形されている。
【００５７】
この扉側球通路ユニット３８０は、操作部３８０ｅが操作されていない状態（本体１０４側に配設された本体側部材３８０ｆによって押圧されていない状態）では、不図示のねじりバネの付勢力によってレバー３８０ｂが所定の方向（この例では、図の手前側）に回動され、レバー３８０ｂの他端に係止されたシャッタ３８０ｃが球通路３８０ｄの排出口の少なくとも一部を塞ぐことによって、球通路３８０ｄから球技球が外部に流出しないように構成されている。一方、操作部３８０ｅが操作されている状態（本体側部材３８０ｆによって押圧されている状態）では、不図示のねじりバネの付勢力に逆らってレバー３８０ｂが奥側に回動され、レバー３８０ｂの他端に係止されたシャッタ３８０ｃが球通路３８０ｄの排出口の前面から退出することによって、遊技球を球通路３８０ｄを通じて第一の部材から第二の部材に案内可能に構成されている。
【００５８】
＜発射装置＞
次に、上述の発射装置４５０について説明する。図１６は、発射装置４５０の外観斜視図であり、図１７は、発射装置４５０の一部を透過して示す外観斜視図である。また、図１８は、発射装置４５０の分解斜視図である。
【００５９】
＜発射装置の構造＞
発射装置４５０は、板状のベース部４７２と、このベース部４７２に対向配置される箱状のカバー部４７４によって構成されるケース４７０（４７２、４４４）を備え、このケース４７０の内部空間に各種部品が収容される構造となっている。ベース部４７２とカバー部４７４との係合、あるいはその係合の解除は、長手方向にスライド可能な第１操作部４７６と回動可能な第２操作部４７８によって操作される。これらの第１操作部４７６および第２操作部４７８を操作して係合が解除されると、ベース部４７２とカバー部４７４とが開放可能となる。
【００６０】
図１６や図１７に示されるように、カバー部４７４には、上述の扉側球通路ユニット３５０から排出される遊技球をカバー部４７４の内部に案内するための球通路４７４ａが形成されている。この球通路４７４ａに案内された遊技球は、後述する球送りレバー４８８によって所定の位置まで送り出された後、後述する発射槌４８４によって発射装置４００内に形成された球レール４７４ｂに沿って遊技盤２００の遊技領域１２４に向けて打ち出される。
【００６１】
図１８に示すように、ケース４７０（４７２、４４４）の内部空間には、第１操作部４７６を係合方向へと付勢する弾性部材４８０と、第２操作部４７８を係合方向へと付勢する弾性部材４８２と、遊技球を打ち出す発射槌４８４と、発射槌４８４をベース部４７２に回動可能に固定する固定部材４８６と、遊技球を発射槌４８４が打ち出し可能な位置まで送り出す球送りレバー４８８と、球送りレバー４８８が遊技球を送り出した後に所定位置まで戻すよう付勢する弾性部材４９０と、球送りレバー４８８を回動可能に支持する棒状の回転軸４８９と、球送りレバー４８８が収容される球送り部ベース４９２と、発射槌４８４の動作時に球送りレバー４８８を動かすとともに球送りレバー４８８を所定位置に停止させる伝達部材４９４と、を有して構成されている。また、ベース部４７２の外側には、発射槌４８４を駆動する駆動手段４９６（例えば、ソレノイドやモータなど）を取り付けている。
【００６２】
＜発射装置の動作＞
図１９（ａ）は、カバー部４７４を取り除いた状態の発射装置４５０において、発射槌４８４が初期位置にあるときの平面図であり、同図（ｂ）は、カバー部４７４を取り除いた状態の発射装置４５０において、発射槌４８４が作動位置にあるときの平面図である。また、図２０（ａ）は、図１９（ａ）から球送りレバー４８８や球送り部ベース４９２などの部材を取り除いた平面図であり、図２０（ｂ）は、図１９（ｂ）から球送りレバー４８８や球送り部ベース４９２などの部材を取り除いた平面図である。
【００６３】
球送りレバー４８８は、弾性部材４９０によって回転軸４８９を中心として平面視で反時計回りに回動するように付勢されているが、図１９（ａ）や図２０（ａ）に示すように、発射槌４８４が初期位置に移動している場合、発射槌４８４の中央に配設された伝達部材４９４が、球送りレバー４８８に当接して球送りレバー４８８を押圧するように構成されており、球送りレバー４８８は、弾性部材４９０の付勢力に逆らって回転軸４８９を中心として平面視で所定の方向（この例では、時計回り）に回動されている状態となる。
【００６４】
また、球送りレバー４８８には、遊技球を一時的に貯留可能な御椀状の第１凹部４８８ａと第２凹部４８８ｂが隣接して形成されている。発射槌４８４が初期位置に移動している場合、球送りレバー４８８の第１凹部４８８ａと第２凹部４８８ｂには、それぞれ最大で１個の遊技球が貯留可能であることに加えて、第１凹部４８８ａに隣接する球送り部ベース４９２の突出部４９２ａにも最大で１個の遊技球が貯留可能であり、球送りレバー４８８と球送り部ベース４９２で囲まれた空間内には、最大で３個の遊技球が貯留可能である。
【００６５】
一方、図１９（ｂ）や図２０（ｂ）に示すように、モータ４９６によって回転駆動された発射槌４８４が初期位置から作動位置に移動した場合、球送りレバー４８８を時計回りに回動させていた伝達部材４９４が、発射槌４８４の回動に伴って球送りレバー４８８から離反する方向に移動するため、球送りレバー４８８は、弾性部材４９０の付勢力によって回転軸４８９を中心として反時計回りに回動された状態となる。
【００６６】
このように、球送りレバー４８８は、発射槌４８４が、図１９（ａ）や図２０（ａ）に示す初期位置から、図１９（ｂ）や図２０（ｂ）に示す作動位置に移動すると、回転軸４８９を中心として反時計周りに回動するように構成されている。この球送りレバー４８８の反時計周りの回動により、球送りレバー４８８の第２凹部４８８ｂに貯留された遊技球は、球送りレバー４８８の奥側に形成された球通路を通って、図１９（ｂ）に示すように、手前側の球送りレバー４８８から、奥側の球レール４７４ｂへと排出される。
【００６７】
また、このとき、球送りレバー４８８の第１凹部４８８ａに貯留された遊技球は、球送りレバー４８８の傾きが増大することにより、隣接する第２凹部４８８ｂの方向にわずかに送られるが（自重によって移動するが）、球送り部ベース４９２の内壁に形成された第１凸部４９２ｂと、球送りレバー４８８の第１凹部４８８ｂおよび第２凹部４８８ｂを仕切る第１凸部４８８ｃと、に挟まれて移動が規制される。また、球送り部ベース４９２の突出部４９２ａに貯留された遊技球は、第１凹部４８８ａに貯留された遊技球が第２凹部４８８ｂの方向に送られて空間ができることにより、隣接する第１凹部４８８ａの方向に送られるが（自重によって移動するが）、球送り部ベース４９２の内壁に形成された第２凸部４９２ｃと、球送り部ベース４９２の第１凹部４８８ｂの隣に形成された第２凸部４８８ｄと、に挟まれて移動が規制される。
【００６８】
一方、発射槌４８４が、図１９（ｂ）や図２０（ｂ）に示す作動位置から、図１９（ａ）や図２０（ａ）に示す初期位置に移動すると、上述のとおり、伝達部材４９４に押圧された球送りレバー４８８は、回転軸４８９を中心として時計周りに回動するように構成されている。この球送りレバー４８８の時計周りの回動により、球送り部ベース４９２の第１凸部４９２ｂと球送りレバー４８８の第１凸部４８８ｃに挟まれて移動が規制されていた遊技球は、球送りレバー４８８の第２凹部４８８ｂに送られて貯留され、球送り部ベース４９２の第２凸部４９２ｃと、球送りレバー４８８の第２凸部４８８ｄと、に挟まれて移動が規制されていた遊技球は、球送りレバー４８８の第１凹部４８８ａに送られて貯留される。
【００６９】
このように、発射槌４８４の初期位置と作動位置の一方から他方への移動に伴って、移動球送りレバー４８８が反時計周りの回動と時計周りの回動を繰り返すことにより、球送りレバー４８８の第２凹部４８８ｂに貯留されていた遊技球が、球レール４７４ｂに排出され、球送りレバー４８８の第１凹部４８８ａに貯留されていた遊技球が、隣接する第２凹部４８８ｂに移動し、球送り部ベース４９２の突出部４９２ａに貯留された遊技球が、隣接する第１凹部４８８ａに移動することにより、球送り部ベース４９２の突出部４９２ａに新たな遊技球が貯留可能な状態となる。
【００７０】
以上説明したように、本例に係る遊技台（例えば、パチンコ機１００）は、球送手段（例えば、図１９（ａ）、（ｂ）に示す発射装置４５０）を備えた遊技台であって、前記球送手段は、球送部（例えば、図１９（ａ）、（ｂ）に示す球送りレバー４８８）が設けられた手段であり、前記球送手段は、通路（例えば、図１９（ａ）、（ｂ）に示す球送りレバー４８８と球送り部ベース４９２に囲まれた通路）が設けられた手段であり、前記球送手段は、壁（例えば、図１９（ａ）、（ｂ）に示す球送り部ベース４９２）が設けられた手段であり、前記球送部が第一の状態（例えば、図１９（ａ）に示す状態）から第二の状態（例えば、図１９（ｂ）に示す状態）へ変化することで、前記通路の遊技球を移動させ、前記第一の状態において、前記球送部の一部（以下、「第一の保持手段」という。例えば、図１９（ａ）に示す球送りレバー４８８の下流側の凸部）と前記壁の一部（以下、「第二の保持手段」という。例えば、図１９（ｂ）に示す第１凸部４９２ｂ）によって、該球送部における保持領域にある遊技球を保持可能である、ことを特徴とする遊技台である。
【００７１】
本例に係る遊技台によれば、保持領域で遊技球を保持することで、送り出しが必要な遊技球だけを順番に送り出すことができ、遊技球を発射装置等に円滑かつ確実に供給できる場合がある。
【００７２】
また、前記保持領域は、前記第一の保持手段と、前記球送部の別の一部（以下、「第三の保持手段」という。例えば、図１９（ｂ）に示す第１凸部４８８ｃ）と、の間にある領域であり、前記第一の保持手段は、前記第三の保持手段よりも下流にある手段であり、前記第二の状態において、前記第三の保持手段と前記第二の保持手段によって、前記通路の遊技球を保持可能であってもよい。また、前記第二の保持手段は、前記通路へ突出する凸部（例えば、図１９（ｂ）に示す第１凸部４９２ｂ）によって構成された手段であってもよい。また、発射手段（例えば、図１９（ａ）、（ｂ）に示す発射槌４８４）を備え、前記発射手段は、発射位置にある遊技球を遊技領域に向けて発射可能な手段であり、前記球送部が前記第一の状態から前記第二の状態へ変化することで、前記保持領域にある遊技球が前記発射位置へ移動可能であってもよい。
【００７３】
また、本体（例えば、図２１に示す本体１０４）と、扉（例えば、図２１に示す前面扉１１０６）と、を備え、前記球送手段は、前記扉に設けられた手段であり、前記発射手段は、前記本体に設けられた手段であってもよい。また、本体（例えば、図４に示す本体１０４）と、扉（例えば、図４に示す前面扉１０６）と、を備え、前記球送手段は、前記本体に設けられた手段であり、前記発射手段は、前記本体に設けられた手段であり、前記発射手段と前記球送手段は、同一のユニットで構成されていてもよい。また、操作手段（例えば、図１１に示す第１レバー５０２）と、上皿（例えば、図１０に示す上皿１２６）と、を備え、前記操作手段は、前記上皿の遊技球を排出口に向けて排出可能な手段であり、前記球送手段は、前記操作手段が操作された場合であっても、遊技球を保持可能であってもよい。また、前記壁は、前記第二の保持手段とは別の保持手段（以下、「第四の保持手段」という。例えば、図１９（ｂ）に示す第２凸部４９２ｃ）を備え、前記第四の保持手段は、前記第二の保持手段の上流にある手段であってもよい。また、前記第三の保持手段から前記第一の保持手段に亘って形成された凹部の曲率半径は、遊技球の曲率半径よりも小さくてもよい。
【００７４】
＜他の実施形態＞
次に、他の実施形態に係るパチンコ機１１００について説明する。図２１は、パチンコ機１１００の前面枠扉１１０６を開放してパチンコ機１１００の内部構造を示した外観斜視図である。また、図２２（ａ）は、図２１において符号Ｂで示した球送り装置１５００近傍の部分拡大図であり、図２２（ｂ）は、図２１において符号Ｃで示した発射装置１４５０近傍の部分拡大図である。
【００７５】
パチンコ機１１００の前面扉１１０６の下方には、上述の扉側球通路ユニット３５０の排出口から排出される遊技球を、本体１１０４側に対向して配置された発射装置１４５０に送るための球送り装置１５００が配設されている。この球送り装置１５００によって送り出される遊技球は、図２２（ｂ）に示す発射装置１４５０の球通路１４５２を通って発射装置１４５０の内部に進入し、所定の発射位置まで案内される。
【００７６】
図２３（ａ）、（ｂ）は、扉側球通路ユニット３５０と球送り装置１５００の側断面図である。球送り装置１５００は、遊技球を扉側球通路ユニット３５０から発射装置１４５０に送り出すための球送りレバー１５０２と、球送りレバー１５０２が遊技球を送り出した後に所定位置まで戻すよう付勢する弾性部材１５０４と、球送りレバー１５０２を回転可能に支持する棒状の回転軸１５０６と、を有して構成され、扉側球通路ユニット３５０の球通路３５０ａを基端として水平方向に延びる球通路３５０ｂの下方に配置されている。なお、球通路３５０ｂの延出方向は特に限定されず、例えば、斜め方向に延びる球通路であってもよい。
【００７７】
球送りレバー１５０２が駆動装置（図示省略）に駆動されて、図２３において時計周りに回転すると、（扉側球通路ユニット３５０から遠い側の）御椀状の第２凹部１５０２ｂに貯留された遊技球は、発射装置１４５０の方向（図２３の右方向）に送り出される。一方、（扉側球通路ユニット３５０に近い側の）御椀状の第１凹部１５０２ａに貯留された遊技球は、隣接する第２凹部１５０２ｂの方向（図２３の右方向）に送り出されるが、球通路３５０ｂの内壁と、第１凹部１５０２ａおよび第２凹部１５０２ｂを仕切る第１凸部１５０２ｃと、に挟まれて発射装置１４５０側への移動が阻止される。また、扉側球通路ユニット３５０から球通路３５０ｂに流入し、第１凹部１５０２ａの手前まで到達した遊技球は、扉側球通路ユニット３５０から発射装置１４５０に向かって下降するように傾斜された球通路３５０ｂに沿って、自重により第１凹部１５０２ａの方向（図２３の右方向）に転動するが、球通路３５０ｂの内壁に突出形成された突出部３５０ｃと、第１凹部１５０２ａに隣接する第２凸部１５０２ｄと、に挟まれて移動が阻止される。
【００７８】
このような構成により、発射装置１４５０に送り出す前に球通路３５０ｂに溜まっている遊技球の移動を、第１凸部１５０２ｃ、球通路３５０ｂの内壁、第２凸部１５０２ｄ、突出部３５０ｃによって阻止することができるため、送り出しが必要な遊技球だけを一定間隔で発射装置１４５０に順番に送り出すことができ、従来よりも、遊技球を発射装置１４５０にスムーズに供給できる。
【００７９】
＜本発明の基本思想＞
次に、図２４〜図２８を用いて、本発明の基本思想について説明する。図２４は、本発明に係る球送装置の側断面の一例を示した図である。本発明に係る球送装置Ｔ１は、球送通路Ｐの第一の位置および球送通路Ｐの第二の位置のうちの一方から他方を通過した遊技球Ｂを発射装置側に移動させる装置であり、例えば、上述の球送りレバー４８８および球送り部ベース４９２や、球送り装置１５００が該当する。
【００８０】
また、球送装置Ｔ１は、他の部材（球送装置Ｔ１の壁部Ｔ１ａ）とともに遊技球Ｂを挟むことによって該遊技球Ｂの発射装置側への移動を阻止することが可能、または、球送通路Ｐ内で突出することによって遊技球Ｂの発射装置側への移動を阻止することが可能な第一、第二阻止部材Ｓ１、Ｓ２を備える。第一の阻止部材Ｓ１は、第一の位置にある遊技球Ｂ１の移動を阻止することが可能な部材であり、例えば、球送りレバー４８８の第１凸部４８８ｃや、球送りレバー１５０２の第２凸部１５０２ｄが該当する。また、第二の阻止部材Ｓ２は、第二の位置にある遊技球Ｂ２の移動を阻止することが可能な部材であり、例えば、球送りレバー４８８の第２凸部４８８ｄや、球送りレバー１５０２の第１凸部１５０２ｃが該当する。
【００８１】
例えば、第一の阻止部材Ｓ１を上方向に移動し、該第一の阻止部材Ｓ１と壁部Ｔ１ａとの間で、第一の位置にある遊技球Ｂ１を挟んで保持することによって該遊技球Ｂ１の移動を阻止するとともに、第二の阻止部材Ｓ２を上方向に移動し、第二の位置にある遊技球Ｂ２の下流方向への移動を阻止するパターン、第一の阻止部材Ｓ１を上方向に移動し、第一の位置にある遊技球Ｂ１の下流方向への移動を阻止し、第二の阻止部材Ｓ２を上方向に移動し、該第二の阻止部材Ｓ２と壁部Ｔ１ａとの間で、第二の位置にある遊技球Ｂ２を挟んで保持することによって該遊技球Ｂ２の移動を阻止するパターン、第一の阻止部材Ｓ１を上方向に移動し、第一の位置にある遊技球Ｂ１の下流方向への移動を阻止するとともに、第二の阻止部材Ｓ２を上方向に移動し、第二の位置にある遊技球Ｂ２の下流方向への移動を阻止するパターン、第一の阻止部材Ｓ１を上方向に移動し、該第一の阻止部材Ｓ１と壁部Ｔ１ａとの間で、第一の位置にある遊技球Ｂ１を挟んで保持することによって該遊技球Ｂ１の移動を阻止するとともに、第二の阻止部材Ｓ２を上方向に移動し、該第二の阻止部材Ｓ２と壁部Ｔ１ａとの間で、第二の位置にある遊技球Ｂ２を挟んで保持することによって該遊技球Ｂ２の移動を阻止するパターン、などが挙げられる。
【００８２】
また、図２５は、他の例に係る球送装置Ｔ２の一部を透過して示す外観斜視図であり、図２６は、図２５におけるＡ−Ａ線に沿った側断面の一部を示す側断面図である。
【００８３】
この例に係る球送装置Ｔ２は、第一の阻止部材Ｓ３と第二の阻止部材Ｓ４を備えた球送部材Ｓを備える。この球送部材Ｓは、駆動モータＭのモータ軸によって回動可能に支持されており、駆動モータＭの動力によって、図２６（ａ）、（ｂ）に示すように、発射装置に連通する遊技通路Ｒ側に所定角度だけ傾斜可能に構成されている。また、球送部材Ｓの第一の阻止部材Ｓ３は、他の部材（球送装置Ｔ２の壁部Ｔ２ａ）とともに遊技球を挟むことによって、第一の位置にある遊技球Ｂ１の発射装置側（図２５に示す符号Ｘの方向）への移動を阻止することが可能、または、球送通路Ｐ内で突出することによって、第一の位置にある遊技球Ｂ１の発射装置側Ｘへの移動を阻止することが可能な部材である。また、第二の阻止部材Ｓ４は、他の部材（球送装置Ｔ２の壁部Ｔ２ａ）とともに遊技球を挟むことによって、第二の位置にある遊技球Ｂ２の発射装置側Ｘへの移動を阻止することが可能、または、球送通路Ｐ内で突出することによって、第二の位置にある遊技球Ｂ２の発射装置側Ｘへの移動を阻止することが可能な部材である。
【００８４】
また、図２７は、阻止部材Ｓ３を球送装置Ｔ２の壁部Ｔ２ａに設けた例を示した側断面図である。この例では、阻止部材Ｓ３を球送装置Ｔ２の壁部Ｔ２ａに設けることによって、阻止部材Ｓ３は、他の部材（この例では、球送通路Ｐを構成する下壁の上面Ｐ１）とともに遊技球Ｂ１を挟むことによって該遊技球Ｂ１の発射装置側Ｘへの移動を阻止している。
【００８５】
また、図２８は、阻止部材Ｓ５、Ｓ６の上部に傾斜面を形成した例を示した側面図である。この例では、阻止部材Ｓ５、Ｓ６の上部に、遊技通路Ｒ側に向かって下降する傾斜面を形成することによって、遊技球が発射装置とは反対の方向に逆流しないように、また、遊技球がスムーズに遊技通路Ｒ側に送り出されるように構成している。また、阻止部材Ｓ５、Ｓ６の間を御椀状に形成することによって、送り出し途中の遊技球を確実に保持できるように構成している。
【００８６】
以上説明したように、上記実施形態に係るパチンコ機１００は、発射位置にある遊技球を、遊技領域（例えば、遊技領域１２４）に向けて発射可能な発射装置（例えば、発射装置４５０）と、遊技球を前記発射位置側に移動させる球送装置（例えば、球送りレバー４８８と球送り部ベース４９２）と、前記球送装置内に設けられた球送通路と（例えば、球送りレバー４８８と球送り部ベース４９２によって構成される球通路）、を備えた遊技台であって、前記球送装置は、前記球送通路の第一の位置および前記球送通路の第二の位置のうちの一方から他方を通過した遊技球を前記発射装置側に移動させるものであり、前記球送通路内への突出量を増加させることによって遊技球の前記発射装置側への移動を阻止することが可能な阻止部材を備え、前記阻止部材は、前記第一の位置にある遊技球の移動を阻止することが可能な第一の阻止部材（例えば、球送りレバー４８８の第１凸部４８８ｃ）と、前記第二の位置にある遊技球の移動を阻止することが可能な第二の阻止部材（例えば、球送りレバー４８８の第２凸部４８８ｄ）と、を少なくとも有する、ことを特徴とする遊技台である。
【００８７】
ここで、本発明に係る「発射位置」は、遊技領域の外側であり、発射槌が駆動した場合に遊技球と接触可能である位置であってもよく、球送装置から送られた遊技球が待機する位置を示してもよい。また、本発明に係る「発射位置」は、球送装置の開口部（出口）に近接して設けられていてもよい。
【００８８】
また、本発明に係る「阻止部材」は、球送通路内で突出量を増加させることで、他の部材とともに遊技球を挟むことにしてもよい。また、本発明に係る「阻止部材」は、球送通路内で突出すること、および、他の部材とともに遊技球を挟むことのうち少なくともいずれか一方または全部を行えてもよい。
【００８９】
また、本発明に係る「阻止部材」は、他の部材とともに遊技球を挟むことのみ行えてもよいし、球送通路内で突出することのみ行えてもよい。
【００９０】
また、本発明に係る「阻止部材」は、最小の突出量である第一の量から、最大の突出量である第二の量の間で当該突出量を変化させることが可能であってもよい。ここで、「最小の突出量」はプラスの量（球送通路内面に向かう所定の量）、ゼロ、マイナスの量（球送通路内面から外側に向かう所定の量）などのいずれであってもよい。また「最大の突出量」は、第一の量より大きければよく、例えば第一の量Ａ、第二の量Ａ、第一の量Ｂ、第二の量Ｂ、・・・と変化する際に、第二の量Ａと第二の量Ｂが異なる量であってもよい。また、第一の量Ａと第一の量Ｂが異なる量であってもよい。また、第二の量Ａと第二の量Ｂが同じ量であってもよい。また、第一の量Ａと第一の量Ｂが同じ量であってもよい。
【００９１】
上記実施形態に係るパチンコ機１００によれば、発射装置に送り出す前に球送通路に溜まっている遊技球の移動を、第一、第二の阻止部材によって阻止することができるため、送り出しが必要な遊技球だけを一定間隔で発射装置に順番に送り出すことができ、従来よりも、遊技球を発射装置にスムーズに供給できる場合がある。
【００９２】
また、前記第二の位置は、前記第一の阻止部材による遊技球の移動の阻止が解除された場合に、前記第一の位置にある該遊技球が進入可能な位置であり、前記第一の位置にある遊技球が前記第二の位置へ進入した場合に、前記第二の阻止部材によって該第二の位置へ進入した遊技球の移動が阻止され、前記第一の阻止部材と前記第二の阻止部材は所定の距離を開けて配置されており、前記所定の距離は、前記第二の阻止部材により前記第二の位置にある遊技球の移動が阻止されている場合に、前記第一の位置にある遊技球と前記第二の位置にある遊技球が接触可能な距離であってもよい。
【００９３】
このような構成とすれば、遊技球を第一、第二の阻止部材によって順番に阻止することができるため、送り出しが必要な遊技球だけを一定間隔で発射装置に順番に送り出すことができ、従来よりも、遊技球をスムーズに送り出すことができる場合がある。
【００９４】
また、前記球送通路のうち遊技球が移動可能な面（例えば、球送りレバー４８８の上面）は、前記第一の位置から前記第二の位置にかけて傾斜する傾斜面であってもよい。
【００９５】
このような構成とすれば、遊技球の自重によって遊技球を第一の位置から第二の位置に送り出すことができ、送り出しの待機状態にある遊技球を第一、第二の阻止部材によって阻止しつつ、送り出しが必要な遊技球だけをスムーズに送り出すことができる場合がある。また、遊技球を第一の位置から第二の位置に送り出したい場合に、遊技球が第二の位置から第一の位置に逆流することを防止できる場合がある。
【００９６】
また、前記第二の阻止部材は、前記第一の阻止部材と前記球送通路の壁部によって前記第一の位置にある遊技球が狭持されている場合に、該第二の阻止部材と該球送装置の壁部によって前記第二の位置にある遊技球を狭持可能であってもよい。
【００９７】
このような構成とすれば、発射装置に送り出す前に球送通路に溜まっている遊技球の移動を、第一、第二の阻止部材によって狭持することができるため、送り出しが必要な遊技球だけを一定間隔で発射装置に順番に送り出すことができ、従来よりも、遊技球を発射装置にスムーズに供給できる場合がある。
【００９８】
また、前記球送装置は、球送部材（例えば、球送りレバー４８８）を備え、前記球送部材は、前記第一の阻止部材と前記第二の阻止部材を備えてもよい。
【００９９】
このような構成とすれば、２つの第一、第二の阻止部材の動きを容易に連動させることができ、第一、第二の阻止部材による遊技球の移動の阻止を一定の間隔で制御負担なく行うことができる場合がある。
【０１００】
また、前記第一の阻止部材は、前記球送通路の壁部とは別の部材とともに、前記第一の位置にある遊技球を狭持可能に構成してもよく、また、前記第二の阻止部材は、前記球送通路の壁部とは別の部材とともに、前記第二の位置にある遊技球を狭持可能に構成すれば、遊技球を一定間隔で送り出し、遊技球をスムーズに供給することができる場合がある。
【０１０１】
また、前記第一の阻止部材または／および前記第二の阻止部材を、前記遊技球の移動を阻止する位置と阻止しない位置との間で移動させる駆動部を備えれば、遊技球を一定間隔で送り出し、遊技球をスムーズに供給することができる場合がある。
【０１０２】
また、前記第一の阻止部材が、他の部材とともに遊技球を挟むことによって該遊技球の前記発射装置側への移動を阻止する機能だけを有するように構成すれば、第一の阻止部材によって遊技球の移動を阻止する回数を減らし、遊技球をスムーズに送り出すことができる場合がある。
【０１０３】
また、前記球送装置を前記本体側に備えれば、遊技者による球送装置への外力を防ぎ、遊技球をよりスムーズに供給させることができる場合がある。
【０１０４】
また、前記球送装置を前記扉体側に備え、前記扉体は扉側通路（例えば、上皿から球送装置の入り口へ繋がる通路）を備え、前記球送装置の通路は前記扉側通路の一部であるか、または、前記扉側通路と前記球送装置が連通可能に配置されていれば、遊技球を扉側通路で保持することができ、扉解放時に遊技球が通路外へ流れるのを防止できる場合がある。
【０１０５】
また、前記発射装置に前記球送装置が収容されていれば、発射装置や球送装置のメンテナンス性を向上させることができる場合がある。
【０１０６】
また、本実施形態に係る遊技台（例えば、パチンコ機１００）は、発射手段（例えば、図２０に示す発射槌４８４）と、球送手段（例えば、図１９に示す球送りレバー４８８）と、遊技球が通過可能な球送通路（例えば、図１９に示す球送り部ベース４９２を含んで構成される球通路）と、を備えた遊技台であって、前記発射手段は、発射位置にある遊技球を遊技領域に向けて発射可能な手段であり、前記球送手段は、前記球送通路を通過した遊技球を前記発射手段へ移動させる手段であり、前記球送通路の内部への突出量を増加させることによって遊技球の前記発射手段への移動を阻止することが可能な阻止手段（例えば、球送りレバー４８８の第１凸部４８８ｃ，第２凸部４８８ｄ）を備え、前記阻止手段は、前記球送通路の第一の位置において遊技球の移動を少なくとも阻止することが可能な手段であり、前記阻止手段は、前記球送通路の第二の位置において遊技球の移動を少なくとも阻止することが可能な手段であり、前記第二の位置は、前記第一の位置とは異なる位置であり、前記阻止手段は、前記第一の位置において前記球送通路との間で遊技球を狭持している場合に、前記第二の位置において前記球送通路との間で遊技球を狭持可能な手段である、ことを特徴とする遊技台である。
【０１０７】
本実施形態に係る遊技台によれば、発射装置に送り出す前に球送通路に溜まっている遊技球の移動を、阻止部材によって阻止することができるため、送り出しが必要な遊技球だけを一定間隔で発射装置に順番に送り出すことができ、従来よりも、遊技球を発射装置にスムーズに供給できる場合がある。
【０１０８】
また、前記阻止手段は、第一の状態と第二の状態の一方から他方に少なくとも変化可能な手段であり、前記第一の状態とは、遊技球の移動を阻止する状態であり、前記第二の状態とは、前記第一の状態を解除した状態のことであり、前記阻止手段は、前記第一の状態から前記第二の状態に変化した場合に、前記第一の位置において狭持している遊技球を前記第二の位置へ進入させることが可能な手段であり、前記阻止手段は、前記第二の状態から前記第一の状態に変化した場合に、前記第一の位置から前記第二の位置へ進入した遊技球を該第二の位置において狭持可能な手段であってもよい。また、前記球送通路は、遊技球が移動可能な面（例えば、球送りレバー４８８の上面）を少なくとも備え、前記面は、前記第一の位置から前記第二の位置にかけて傾斜する傾斜面であってもよい。また、前記球送手段は、球送部材（例えば、球送りレバー４８８）を少なくとも備え、前記球送部材は、前記阻止手段の一部を構成する部材であってもよい。
【０１０９】
また、遊技球を遊技領域へ発射する発射槌（例えば、発射槌４８４）と、発射槌を動かす駆動手段（例えば、モータ４９６）を備えた発射装置（例えば、発射装置４５０）を備え、前記発射槌に前記球送部材と当接する部材（例えば、伝達部材４９４）が設けられており、前記駆動手段により前記発射槌が動かされると連動して前記球送装置が作動するように構成すれば、発射槌と球送装置の駆動源を１つにすることで消費電力を削減し、省スペース化を図ることができる場合がある。
【０１１０】
また、前記球送装置の通路が遊技者に対して平行に設けられていれば、省スペース化を図ることができる場合がある。
【０１１１】
また、前記扉体は、第一の通路と、第二の通路と、前記第一の通路から前記第二の通路に遊技球を排出させる排出操作部と、前記排出操作部が操作された場合に、第一の通路と第二の通路を連通状態にさせる所定の部材と、を備え、前記球送装置は、前記所定の部材よりも下流に設けられており、前記排出操作部により前記第一の通路の遊技球が前記第二の通路へ排出された場合、前記球送装置の内部に遊技球が保持可能に構成されていれば、遊技球を一定間隔で送り出すので、遊技球をスムーズに発射位置に供給することができる場合がある。また、球送装置内に遊技球を保持可能なので、ハンドルを握ってから遊技球が遊技領域へ出てくるまでの時間を短縮できる場合がある。
【０１１２】
また、上記実施形態に係るパチンコ機１００は、本体（例えば、本体１０４）と、前記本体に取付可能な扉体（例えば、前面枠扉１０６）と、を備えた遊技台であって、前記本体は、遊技球を発射位置側へ移動させる球送装置（例えば、発射装置４５０）を備え、前記扉体が少なくとも閉鎖されている場合に、該扉体に設けられた扉側通路（例えば、扉側球通路ユニット３５０）の遊技球が前記球送装置側に供給されるように構成され、前記扉体が開放されている場合に、所定の部材（例えば、シャッタ３５４ｂ、３７０ｂ、３８０ｃ）によって、前記扉側通路の遊技球を前記球送装置側に供給されることが防止されている（前記扉側通路の遊技球の前記球送装置側への供給が阻止されている）、ことを特徴とする遊技台である。
【０１１３】
ここで、本発明に係る「扉体」は、扉側通路が設けられていればよく、例えば、透明板（例えば、無色透明のガラス板や無色透明のプラスチック板など）を少なくとも支持するガラス枠であってもよいし、遊技球を貯留可能な貯留皿（例えば、上皿）が設けられていてもよいし、遊技球を貯留可能な皿体から溢れた球を貯留可能な余剰球貯留皿（例えば、下皿）が設けられていてもよい。
【０１１４】
また、本発明に係る「扉体」は、扉側通路が設けられていればよく、例えば、貯留皿が設けられていなくてもよいし、余剰球貯留皿が設けられていなくてもよいし、貯留皿および余剰球貯留皿のうちの少なくとも一方が設けられていてもよいし、貯留皿および余剰球貯留皿のうちの貯留皿のみ設けられていてもよい。また、例えば、遊技球発射用の操作手段（例えば、球発射ハンドル）が設けられていてもよいし、スピーカが設けられていてもよいし、装飾用部材が設けられていてもよいし、所定の報知（例えば、扉開放の報知や払出の報知、電波や磁石などを使用したゴトが検知された場合の報知など）を行う報知手段（例えば、枠ランプ）が設けられていてもよい。
【０１１５】
また、本発明に係る「扉側通路」は、貯留皿および余剰球貯留皿のうちの少なくとも一方に貯留されている球を発射装置側や球送装置側に供給可能なものであってもよい。
【０１１６】
また、本発明に係る「球送装置」は、扉体に設けられていてもよく、その場合、扉側通路は、球送装置により送り出された遊技球を本体に設けられた発射装置側に案内するものとしてもよい。
【０１１７】
また、本発明においては、本体に本体側通路を設け、該本体側通路は、扉側通路により案内された遊技球を発射装置および球送装置のうち少なくとも一方に送り出すものでもよい。
【０１１８】
上記実施形態に係るパチンコ機１００によれば、扉を開放した場合でも本体側に遊技球を保持することが可能なので、メンテナンス後に遊技球をスムーズに発射位置側へ移動させ、遊技への復帰をスムーズに行うことができる場合がある。
【０１１９】
また、前記扉体は、前記所定の部材を備え、前記所定の部材は、該所定の部材を開閉可能な操作部（例えば、操作部３５４ｄ、３７０ｅ、３８０ｅ）を備え、前記球送装置は、前記扉体側に突出し、該球送装置に固定された係合部（例えば、突出部４５０ａ、本体側部材３７０ｆ、本体側部材３８０ｆ）があり、前記扉体が閉鎖された場合に、前記操作部と前記係合部が当接し、前記所定の部材が所定の位置まで移動することにより、前記扉側通路の遊技球を前記球送装置側に供給可能であってもよい。
【０１２０】
このような構成とすれば、扉の開放と閉鎖によって、扉側通路の遊技球を球送装置側に供給することが不可能な供給不能状態と、供給することが可能な供給可能状態を容易に切り替えることができ、利便性を高めることができる上に、扉の開放時に遊技球を通路の外へ流出させるのを防ぐことができる場合がある。
【０１２１】
また、前記係合部は、前記操作部が有する傾斜面と相補的形状である傾斜面を有してもよい。
【０１２２】
このような構成とすれば、扉の開放と閉鎖に伴って、係合部により操作部をスムーズに操作することができ、扉側通路の遊技球を球送装置側に供給することが不可能な供給不能状態と、供給することが可能な供給可能状態を確実に切り替えることができる場合がある。
【０１２３】
また、前記本体は、遊技球を遊技領域へ発射する発射槌（例えば、発射槌４８４）と、前記球送装置（例えば、球送りレバー４８８）と、を含む発射装置（例えば、発射装置４５０）を備え、前記発射装置は、前記本体から取り外し可能であってもよい。
【０１２４】
このような構成とすれば、メンテナンス後に遊技球をスムーズに発射位置側へ移動させ、遊技への復帰をスムーズに行うことができる場合がある。
【０１２５】
また、本発明に係る「係合部」は、上記実施形態で例示した係合部に限定されず、例えば、発射装置における所定の面に設けられ、所定の位置に固定されていてもよいし、発射装置における所定の面に設けられ、球送装置（例えば、図１７に示す球送りレバー４８８）の近傍に配置されていてもよい。また、発射装置における球送装置の突出量は、係合部の突出量と同じでもよいし、長くてもよい。
【０１２６】
また、前記扉体は、第一の通路と、第二の通路と、前記第一の通路から前記第二の通路に遊技球を排出させる排出操作部（例えば、球排出レバー１３２）と、第一の部材と、前記排出操作部が操作された場合に前記第一の通路と前記第二の通路を連通状態にさせる第二の部材（例えば、シャッタ５０８）と、を備え、前記第一の部材は、前記所定の部材であり、前記第一の通路は、前記扉側通路であり、前記所定の部材によって、前記扉側通路の遊技球を前記球送装置側に供給されることが防止されている場合、前記排出操作部により前記扉側通路と前記第二の通路を連通可能であってもよい。
【０１２７】
このような構成とすれば、扉側通路に残った遊技球を通路外に流出させることなく、確実に第二の通路へ排出させることができる場合がある。
【０１２８】
また、前記所定の部材を備えることなく、前記扉体が開放されている場合に、前記扉側通路の遊技球を前記球送装置側に供給されることが防止されていれば、部品点数を減らすことができる上に、本体側に遊技球を保持することが可能なので、メンテナンス後に遊技球をスムーズに発射位置へ移動させ、遊技への復帰をスムーズに行うことができる場合がある。
【０１２９】
また、前記扉を開放する場合に、上述の払出通路ユニット３００と排出口ユニット４００との連通状態が解除されるよりも前に、前記扉側通路と前記球送装置との連通状態が解除されるように構成すれば、扉を開放した場合に、球送装置へ送られる遊技球を先に遮断することができるため、不正行為を防止できる場合がある。また、払い出し通路が連通している間は、扉が開放していても払い出しだけは行われるので、遊技者の不安を解消できる場合がある。
【０１３０】
また、前記排出操作部と前記第二の部材が前記扉側に設けられ、前記第二の部材によって前記第二の通路への遊技球の供給が不可能な状態を解除する第三の部材が前記本体側に設けられていれば、店員の目の届きにくい扉が開放されている間は、ドル箱に遊技球を入れにくくなるので、不正に払い出された遊技球を入れるなどの不正行為を防ぐことができる場合がある。
【０１３１】
なお、前記扉が閉鎖されている場合に、前記排出操作部に設けられた係合部と前記第三の部材の係合部が係合状態となり、前記排出操作部を操作すると、該排出操作部に設けられた係合部と連動して前記第三の部材が動き、前記扉側通路と前記第二の通路が連通状態となる一方で、前記扉が開放されている場合に、前記排出操作部に設けられた係合部と前記第三の部材の係合部の係合状態が解除されたときに前記排出操作部を操作すると、該排出操作部は動作するが、前記第三の部材は連動せずに前記第二の部材による通路の遮断が解除されないように構成してもよい。
【０１３２】
また、前記本体は、遊技球を下皿へ移動させる球送装置を備え、前記扉体が閉鎖されている場合に、該扉体に設けられた扉側通路の遊技球が前記球送装置側に供給されるように構成され、前記扉体が開放されている場合に、所定の部材によって、前記扉側通路の遊技球を前記球送装置側に供給されることが防止されるように構成してもよい。
【０１３３】
ここで、球タンク１５０から排出された遊技球が上皿１２６（または下皿１２８）に到達するまでのルートについて上記図４を用いて説明する。球タンク１５０から排出された遊技球は、タンクレール１５４を通過して払出装置１５２に導かれる。また、払出装置１５２の排出口１５２ａから排出された遊技球は、払出通路ユニット３００を通過して排出口ユニット４００に移動する。
【０１３４】
この際、上皿１２６に遊技球が貯留可能な場合には、遊技球は払出通路ユニット３００の第１の遊技通路３０１ａを通過して排出口ユニット４００の第１の遊技通路４０１ａに移動して上皿１２６の方向に導かれるが、上皿１２６に遊技球が貯留不可能な場合（上皿１２６が満タンの場合）には、遊技球は払出通路ユニット３００の第２の遊技通路３０１ｂを通過して排出口ユニット４００の第２の遊技通路４０２ａに移動した後に、下皿用通路４０１ａを通過して下皿１２８の方向に導かれるように構成されている。
【０１３５】
また、発射装置によって打ち出された遊技球のうち、遊技盤まで到達しなかったり、発射槌で打ち損じた遊技球は、遊技盤の裏側に配置された遊技盤側通路４０１ｂを通過して本体１０６側に移動し、該本体１０６側に設けられた凹形状の本体側通路４０１ｃに当たって遊技盤側に移動し、該遊技盤の裏側に配置された下皿開口部４０１ｄを通過して下皿１２８に導かれるように構成されている。
【０１３６】
下皿の容量を超えて遊技球が入っているときに扉を開けた場合、遊技球が逆流し、通路外に流出してしまう可能性があるが、本発明に係る所定の部材を、上述の遊技盤側通路４０１ｂ、本体側通路４０１ｃ、下皿開口部４０１などに設け、当該所定の部材によって、遊技球の供給（移動）を防止するように構成すれば、扉の開放時に扉側または本体側に遊技球を保持させることができ、メンテナンス性を向上させることができる場合がある。
【０１３７】
また、本発明に係る遊技台は、パチンコ遊技機に限定されるものではなく、例えば、遊技球（例えば、パチンコ玉）を遊技媒体としたスロットマシン（いわゆるパチロット）や等にも適用可能であり、また、封入式遊技機にも適用可能である。
【０１３８】
ここで、「封入式遊技機」は、遊技機内に封入された遊技球を循環使用するものであり、当該封入式遊技機において、遊技盤から回収された遊技球を球送装置に案内する扉側通路が扉体に設けられていてもよい。
【０１３９】
また、封入式遊技機において、遊技盤から回収された遊技球を循環させる遊技球循環経路を通過した遊技球が球送装置に送られるようにしてもよい。また、封入式遊技機において、遊技盤から回収された遊技球の研磨を行う玉磨き装置を通過した遊技球が球送装置に送られるようにしてもよい。
【０１４０】
また、封入式遊技機において、発射杆の発射強度が不足した場合に遊技球が誘導されるファール球通路が球送り装置の近傍に設けられていてもよい。また、封入式遊技機において、球送装置から送られた遊技球が発射位置に送られたことを検知する発射検知手段を発射位置の直前に設けてもよい。また、発射検知手段は、球送装置の排出口と連通する通路に設けられていてもよい。
【０１４１】
なお、本発明の実施例に記載された作用および効果は、本発明から生じる最も好適な作用および効果を列挙したに過ぎず、本発明による作用および効果は、本発明の実施例に記載されたものに限定されるものではない。また、本発明は、異なる実施例に記載された構成を組み合わせることによっても実現可能である。
【産業上の利用可能性】
【０１４２】
本発明に係る遊技台は、回胴遊技機（スロットマシン）や弾球遊技球（ぱちんこ機）などに代表される遊技台に適用することができる。
【符号の説明】
【０１４３】
１００  パチンコ機
１０４  本体
１０６  前面枠扉
１２６  上皿
１５２  払出装置
１５４  タンクレール
３００  払出通路ユニット
４００  排出口ユニット
３５０  扉側球通路ユニット
３５４  ストッパ
３５４ａ  シャッタ
３５４ｄ  操作部
４５０  発射装置
４５０ａ  突出部
４８４  発射槌
４８８  球送りレバー
４９２  球送り部ベース
５００  球排出装置
５０８  シャッタ
【図１】
2015163209.tif 000003
【図２】
2015163209.tif 000004
【図３】
2015163209.tif 000005
【図４】
2015163209.tif 000006
【図５】
2015163209.tif 000007
【図６】
2015163209.tif 000008
【図７】
2015163209.tif 000009
【図８】
2015163209.tif 000010
【図９】
2015163209.tif 000011
【図１０】
2015163209.tif 000012
【図１１】
2015163209.tif 000013
【図１２】
2015163209.tif 000014
【図１３】
2015163209.tif 000015
【図１４】
2015163209.tif 000016
【図１５】
2015163209.tif 000017
【図１６】
2015163209.tif 000018
【図１７】
2015163209.tif 000019
【図１８】
2015163209.tif 000020
【図１９】
2015163209.tif 000021
【図２０】
2015163209.tif 000022
【図２１】
2015163209.tif 000023
【図２２】
2015163209.tif 000024
【図２３】
2015163209.tif 000025
【図２４】
2015163209.tif 000026
【図２５】
2015163209.tif 000027
【図２６】
2015163209.tif 000028
【図２７】
2015163209.tif 000029
【図２８】
2015163209.tif 000030